(57)【特許請求の範囲】
【請求項１】
容器体口頚部に嵌合させる装着キャップ２と、該キャップにより容器体に固定させるとともに、容器体内へ垂下させる下端部内に吸い込み弁９を設けてなるシリンダ３と、該シリンダ３内に嵌合させた環状ピストン27を外周下部より突設して上下動可能に設けたステム28と、該ステム上端に連設して装着キャップ上方を上下動可能に設けたノズル29付き押し下げヘッド30と、上記ステム28内上部に設けた吐出弁31と、上記ステム及び押し下げヘッドより構成される上下動部材４を常時上方へ付勢させるコイルスプリング38とを備え、上記上下動部材４を上下動させることにより、容器体内の液を吸い込み弁９を介してシリンダ３内へ吸い上げるとともに、シリンダ内の液をステムから吐出弁31を介してノズルより噴出する如く構成してなる液体噴出ポンプに於いて、上記シリンダ３内下端部に周方向複数のリブ10を突設するとともに、各リブの上面内側に各々係止凹部11を凹設し、各係止凹部11にコイルスプリング38下端を係止させることにより、該スプリングの下端内外両側を液の流通が可能に構成し、上記上下動部材４を押し下げ係止可能に構成するとともに、上記係止凹部11を内側面及び上面開口の係止凹部11として構成し、各係止凹部11下端部に嵌着固定させたフランジ21を有頂の周壁20下端外周より突設するとともに、周壁20に内外を連通する窓孔23を穿設し、且つ、周壁20上端外周を押し下げ係止状態のステム下端内面に液密嵌合可能に構成してなる筒状部材19を設けたことを特徴とする液体噴出ポンプ。
【請求項２】
上記筒状部材19と吸い込み弁９の弁体18との間に補助スプリング26を介在させて吸い込み弁体18を常時閉弁方向へ付勢させてなる請求項１記載の液体噴出ポンプ。
【発明の詳細な説明】
【０００１】
【産業上の利用分野】
本発明は液体噴出ポンプに関し、詳しくは、高粘度の液を噴出させても作動部材の迅速な上下動を行える液体噴出ポンプに関する。
【０００２】
【従来の技術】
液体噴出ポンプとして、押し下げヘッド式のポンプがある。例えば、図７に示す如く、容器体１００  の口頚部１０１  外周に螺合させた装着キャップ１０２  と、該キャップにより容器体に固定するとともに、容器体内へ垂下させた下端内部に吸い込み弁１０３  を設けてなるシリンダ１０４  と、該シリンダ内に嵌合させた環状ピストン１０５  を外周下部に突設してシリンダ内を上方付勢状態で上下動可能に装着させたステム１０６  と、該ステム上端に装着させたノズル１０７  付き押し下げヘッド１０８  と、上記ステム内上部に設けた吐出弁１０９  と、上記ステム及び押し下げヘッドとからなる上下動部材１１０  を常時上方へ付勢させるコイルスプリング１１１  とを備え、上記上下動部材を上下動させることにより容器体内の液を吸い込み弁１０３  よりシリンダ１０４  内へ吸い上げるとともに、シリンダ内の液をステムより吐出弁１０９  を介してノズル１０７  先端より噴出する如く構成してなるものが知られている。
【０００３】
また、上下動部材を押し下げた状態で上下動部材上部外面とシリンダ上端に嵌着固定させた係止部材１１２  とを螺合可能に構成し、その際シリンダ下端に固定した筒状部材１１３  によりステム内下端部を液密にシールする如く構成している。
【０００４】
更に、シリンダの下端部を縮径させ、該縮径部分内面に周方向複数のリブ１１４  を突設し、各リブ１１４  の上面に筒状部材１１３  のフランジを介して下端を係止させ、且つ上記縮径部内面に外面を嵌合させてコイルスプリング１１１  を装着させている。
【０００５】
【発明が解決しようとする課題】
従来のこの種ポンプは、上下動部材を押し下げて液を注出させた後上下動部材が上昇する際に、図７に示す如くシリンダ内へ吸い込まれる液が蛇行して吸い上げられ、収納液が粘度の高い場合には単位時間当たりの吸い上げ量が少なく（特に、４０００ｃｐｓ  以上の高粘度で顕著）、その結果上下動部材の最上昇位置への復帰に時間が掛かるという不都合があった。
【０００６】
本発明は上記した従来技術の欠点を解消するもので、高粘度の液を収納させても上下動部材の上昇復帰を迅速に行えるとともに、従来のこの種ポンプの極一部の構造を変えることにより得られるため製造が容易で安価に得られる優れた液体噴出ポンプを提案するものである。
【０００７】
【課題を解決するための手段】
上記課題を解決するため、第１の手段として、容器体口頚部に嵌合させる装着キャップ２と、該キャップにより容器体に固定させるとともに、容器体内へ垂下させる下端部内に吸い込み弁９を設けてなるシリンダ３と、該シリンダ３内に嵌合させた環状ピストン27を外周下部より突設して上下動可能に設けたステム28と、該ステム上端に連設して装着キャップ上方を上下動可能に設けたノズル29付き押し下げヘッド30と、上記ステム28内上部に設けた吐出弁31と、上記ステム及び押し下げヘッドより構成される上下動部材４を常時上方へ付勢させるコイルスプリング38とを備え、上記上下動部材４を上下動させることにより、容器体内の液を吸い込み弁９を介してシリンダ３内へ吸い上げるとともに、シリンダ内の液をステムから吐出弁31を介してノズルより噴出する如く構成してなる液体噴出ポンプに於いて、上記シリンダ３内下端部に周方向複数のリブ10を突設するとともに、各リブの上面内側に各々係止凹部11を凹設し、各係止凹部11にコイルスプリング38下端を係止させることにより、該スプリングの下端内外両側を液の流通が可能に構成したことを特徴とする液体噴出ポンプとして構成した。
【０００８】
また、第２の手段として、第１の手段に於いて、上記上下動部材４を押し下げ係止可能に構成するとともに、上記係止凹部11を内側面及び上面開口の係止凹部11として構成し、各係止凹部11下端部に嵌着固定させたフランジ21を有頂の周壁20下端外周より突設するとともに、周壁20に内外を連通する窓孔23を穿設し、且つ、周壁20上端外周を押し下げ係止状態のステム下端内面に液密嵌合可能に構成してなる筒状部材19を設けた。
【０００９】
また、第３の手段として、第２の手段に於いて、上記筒状部材19と吸い込み弁９の弁体18との間に補助スプリング26を介在させて吸い込み弁体18を常時閉弁方向へ付勢させた。
【００１０】
導入された液はコイルスプリング３８の内外両側を通り上昇して上下動部材４の迅速な上昇が行われる。
【００１１】
【実施例】
以下、本発明の実施例を図面を参照して説明する。
図１乃至図５は本発明の実施例を示すもので、図中１は液体噴出ポンプを示す。該ポンプ１は、装着キャップ２と、シリンダ３と、上下動部材４とを備えている。
【００１２】
装着キャップ２は、シリンダ３を容器体５に固定するもので、容器体口頚部６外周に螺合させる周壁７上端縁より内向きフランジ状の頂壁８を延設して構成している。
【００１３】
シリンダ３は、上記装着キャップ２により容器体５に固定させるとともに、容器体内へ垂下させた下端部内に吸い込み弁９を設けている。
【００１４】
また、シリンダ３内下端部には周方向複数のリブ１０を突設するとともに、各リブの上面内側に内側面及び上面開口の段状をなす係止凹部１１をそれぞれ凹設している。
【００１５】
本実施例に於いてシリンダ３は、外周上部より外向きにフランジ１２を突設し、また、下端より下方へ嵌合筒部１３を連設している。この嵌合筒部１３には吸い上げパイプ（図示せず）の上端を嵌着させ、その下部を容器体内下端部へ垂下させる。
【００１６】
また、上端部には上下動部材４を押し下げ状態で係止するための係止部材１４を嵌着固定させている。該係止部材１４は、シリンダ３上端外周に凹凸係合手段を介して嵌合させた嵌合筒部を頂壁下面より垂設し、また、頂壁内周縁よりシリンダ３内上部に嵌合させた内筒１５を垂設して構成している。内筒１５とシリンダ３上端内面とは縦突条相互の係合等により周り止めを施しており、また、内筒１５内周に上下動部材を螺着させるための螺条を周設している。
【００１７】
そして、容器体口頚部６上面にパッキン１６を介して上記外向きフランジ１２を載置させるとともに、口頚部外周に螺着させた装着キャップ２の頂壁８と容器体口頚部６上面とでフランジ１２を挟持する如く構成している。
【００１８】
吸い込み弁９は、シリンダ３内下端部に突設した弁座１７上に玉状弁体１８を載置させて構成している。
【００１９】
また、本実施例では、シリンダ３内下部には筒状部材１９を装着している。該筒状部材１９は、円筒状の周壁２０外周下端縁にフランジ２１を周設し、また、周壁２０内上部には頂壁２２を張設し、頂壁下方の周壁２０に窓孔２３を穿設している。また、頂壁２２下方の周壁２０内面より所定間隔をあけて中心に至る三枚の放射壁２４を延設し、各放射壁２４下面にそれぞれ切欠き部２５を穿設している。そして、上記フランジ２１をシリンダ３に設けた各リブ１０の上記係止凹部１１下端部に嵌着させて筒状部材１９を固定している。
【００２０】
また、筒状部材１９の上記各切欠き部２５内に上端を嵌合させたコイル状の補助スプリング２６の下端を吸い込み弁９の弁体１８上面に当接係止させ、該弁体１８を常時閉弁方向へ付勢させている。この補助スプリング２６は後述する上下動部材を上方付勢させるためのコイルスプリングと比較してその弾発力は小さく構成しており上下動部材の上昇によるシリンダ内の負圧により開弁可能な程度の強さとしている。この補助スプリング２６の存在により、外気温度の上昇等により生じる容器体内空気の膨張による液の漏出を防止出来るものである。
【００２１】
上下動部材４は、上記シリンダ内に嵌合させた環状ピストン２７を外周下部より突設してシリンダ３内を上方付勢状態で上下動可能に設けたステム２８と、該ステム２８上端に嵌着させたノズル２９付き押し下げヘッド３０とを備えており、ステム２８内上部に吐出弁３１を設けている。
【００２２】
本実施例に於いて押し下げヘッド３０は、頂壁周縁より周壁を垂設した下端面開口の円筒状をなすケーシングを有し、該ケーシングの頂壁下面中央より垂設した縦筒３２下端をステム２８外周上端に嵌着させてステム２８に固定している。また縦筒３２上部前面に基端部を開口した横筒３３をケーシング周壁を貫通してその前方へ突出させ、この横筒３３をノズル２９として構成している。ノズル２９は基端部を前方へ傾斜上昇する如く構成し、先端が下方へ傾斜下降している。
【００２３】
また、ケーシングより下方へ突出した部分の縦筒３２外周には螺条を周設し、上下動部材４を押し下げた際に上記係止部材１４の螺条と螺合して上下動部材４を押し下げた状態で係止可能に構成している。また、その際にステム２８内周下端部が上記筒状部材周壁２０外周上部に液密に嵌合する如く構成している。更に、縦筒３２の外周下端部に係止部材１４の内筒１５下部に設けた縮径部３４内面に液密に嵌合する如く構成している。
【００２４】
吐出弁３１は、ステム２８内上部に設けた弁孔を閉塞する弁体３５を液圧により上下動可能に設けている。
【００２５】
本実施例では、ステム２８内上部に弁座３６を突設することによりその中心に弁孔を形成し、弁座３６上に玉状の弁体３５を載置させて弁孔を閉塞させ、吐出弁３１を構成している。また、弁体３５は、上記ケーシングの頂壁より垂設した係止板３７下面に当接する位置までの間を上下動可能に構成している。
【００２６】
上記上下動部材４はコイルスプリング３８により常時上方に付勢させている。本実施例では、ステム２８下端面に上端を嵌合係止させるとともに、下端を上記係止凹部１１上に嵌着固定させたフランジ２１上面に係止させてコイルスプリング３８を装着しており、該スプリング３８の下端内外両側を液が流通可能に構成している。
【００２７】
図６は本発明の他の実施例を示すもので、本実施例では、筒状部材１９がなく、コンルスプリング３８下端は直接各リブ１０の係止凹部１１下端に嵌合係止されている。また、各リブ１０内面には吸い込み弁体１８の上昇を規制する突部３９を突設して構成している。その他の構成は上記実施例と同様であるので、同様符号を付しておく。
【００２８】
尚、上記各実施例に於いて、各リブ１０に設けた係止凹部１１は、内側面及び上面開口の係止凹部１１として構成しているが、筒状部材１９がない場合には、上面のみを開口した切り溝状凹部であっても良く、要はコイルスプリング３８下端の内外両側を液が流通可能に構成していれば良い。
【００２９】
また、上記各実施例に於いて上記各部材は合成樹脂、金属、特に弾性を有するものにあってはエラストマー等を適宜選択して形成する。
【００３０】
【発明の効果】
以上説明した如く本発明ポンプは、上下動部材を常時上方へ付勢させているコイルスプリングの下端内外両側を液の流通が可能に構成したので、吸い込み弁を介してシリンダ内へ流入される液が、特にスプリング外側を真っ直ぐに上昇してシリンダ上部への液の上昇を迅速に行えるものであり、その結果上下動部材の上昇が遅くなる等の不都合がなく、迅速な上下動部材の作動を行えるものである。特に、上下動部材の作動阻害の顕著な４０００ｃｐｓ以上という高粘度の液を収納噴出する場合にも良好な上下動部材の作動を行えるものである。
【００３１】
また、この種従来のポンプの極一部の構造を変えることにより形成できるため、製造が容易で安価に得られるという利点も兼ね備えている。また、第２の手段のポンプでは、上下動部材の押し下げ係止状態でステム下端部が液密に閉塞されるため、容器を誤って倒しても液の漏出を防止できるととにも、上記した上下動部材の迅速な作動を行えるものである。
【００３２】
更に、第３の手段のポンプでは、上記効果に加え、ポンプを装着した容器体内の空気が外気温度の上昇等で膨張することがあっても吸い込み弁が開かず、従って液の漏出を引き起こすことはない。
【図面の簡単な説明】
【図１】本発明の一実施例を示す一部切欠き側面図である。
【図２】同実施例の作動部材押し下げ状態を説明する一部切欠き側面図である。
【図３】同実施例の作動部材上昇状態を説明する一部切欠き側面図である。
【図４】同実施例の作動部材最上昇位置の一部切欠き側面図である。
【図５】同実施例の図１のＡ−Ａ線に沿う横断面図である。
【図６】本発明の他の実施例を示す一部切欠き側面図である。
【図７】従来のポンプを示す一部切欠き側面図である。
【符号の説明】
２…装着キャップ，３…シリンダ，４…上下動部材，９…吸い込み弁，
１０…リブ，１１…係止凹部，１９…筒状部材，２０…周壁，２１…フランジ，
２３…窓孔，２７…環状ピストン，２８…ステム，２９…ノズル，
３０…押し下げヘッド，３１…吐出弁，３８…コイルスプリング
【図１】
0003569343.tif 000002
【図２】
0003569343.tif 000003
【図３】
0003569343.tif 000004
【図４】
0003569343.tif 000005
【図５】
0003569343.tif 000006
【図６】
0003569343.tif 000007
【図７】
0003569343.tif 000008